(57)【要約】【課題】本発明では、任意のタイミングでシートの幅を検出することのできるシート幅検出装置を提供することを課題としている。【解決手段】複数の接触子を有し、回転可能に設けられたセンサフィラー５２と、センサフィラー５２を回転させる駆動モータ３４と、センサフィラー５２の回転位相の変化に応じて、出力信号の変化する検知センサ５１とを有し、トレイ３０に積載された用紙の幅を検出する用紙幅検出装置５０であって、センサフィラー５２は、トレイ３０に積載された用紙の幅の大小に応じて用紙との接触状態が変化することにより、センサフィラー５２の回転位相が変化し、駆動モータ３４によるセンサフィラー５２の回転駆動に伴って出力される、検知センサ５１の出力信号により、用紙の幅を検出することを特徴とする。【選択図】図６
2019048709.tif 000002
【特許請求の範囲】
【請求項１】
積載部に積載されたシートに接触させる接触子を複数有し、回転可能に設けられた回転部材と、
前記回転部材を回転させる駆動源と、
前記回転部材の回転位相の変化に応じて検知状態の変化する検知機構とを有し、前記積載部に積載されたシートの幅を検出するシート幅検出装置であって、
前記回転部材は、前記積載部に積載された前記シートの幅の大小に応じてシートとの接触状態が変化して、当該接触状態の変化によって回転部材の回転位相が変化し、
前記駆動源からの駆動力の供給に伴う前記回転部材の回転により、前記検知機構の検知状態が変化し、当該検知状態の変化から前記シートの幅を検出することを特徴とするシート幅検出装置。
【請求項２】
前記回転部材の回転速度は、前記積載部に積載された前記シートを下流側へ搬送する搬送部材の回転速度よりも遅い請求項１記載のシート幅検出装置。
【請求項３】
前記回転部材の回転速度は、前記積載部に積載された前記シートを下流側へ搬送する搬送部材の回転速度よりも速い請求項１記載のシート幅検出装置。
【請求項４】
前記回転部材は、前記シートを搬送駆動する前記搬送部材と共通した駆動源であり、
前記駆動源の駆動力を前記回転部材に伝達する伝達ギアが設けられ、
前記伝達ギアの歯数を変更することにより、前記回転部材の回転速度を変更する請求項２または３記載のシート幅検出装置。
【請求項５】
前記駆動源は、前記回転部材を回転させるための専用の駆動源として設けられた請求項２または３記載のシート幅検出装置。
【請求項６】
前記シートを下流側へ搬送する搬送部材と、
前記積載部と、
請求項１から５いずれか１項に記載のシート幅検出装置とを備えたシート給送装置。
【請求項７】
請求項６記載のシート給送装置と、シート給送装置から供給され、その表面に現像剤像が形成された前記シートに対して、前記現像剤をシートに定着させる定着装置とを備えた画像形成装置。
【請求項８】
前記積載部の画像形成装置に対する装着を検知する装着検知機構を備え、
前記シート幅検出装置が、前記積載部の装着時に前記シート幅の検出を行う請求項７記載の画像形成装置。
【請求項９】
前記シート幅検出装置は、画像形成装置の画像形成動作開始時にシートの幅の検出を行う請求項７記載の画像形成装置。
【請求項１０】
前記検知機構による検知状態の変化のパターンが、前記積載部に前記シートが積載されていない時のパターンである場合に、
前記積載部に前記シートが積載されていないか、あるいは、前記積載部が画像形成装置に装着されていないことを検出する請求項７記載の画像形成装置。
【請求項１１】
前記検知機構による検知状態の変化のパターンが、通常のパターンと異なる場合に、異常状態と判断してその異常を外部に報知する請求項７から１０いずれか１項に記載の画像形成装置。
【請求項１２】
前記異常状態は、前記積載部の所定の位置に前記シートが積載されていない状態であると判断し、当該状態を外部に報知する請求項１１記載の画像形成装置。
【発明の詳細な説明】
【技術分野】
【０００１】
本発明は、シート幅検出装置、シート給送装置、および、画像形成装置に関する。
【背景技術】
【０００２】
複数のサイズの記録媒体（シート）に対応した画像形成装置では、シート幅検出装置の一例として、画像を形成する記録媒体の幅を検出する装置を設けることが一般的になされている。この画像形成装置では、シートの幅を検知することにより、下流の定着装置内における定着部材の加熱範囲も変化させ、過不足のない定着部材の加熱を行うことができる。
【０００３】
例えば、特許文献１（特開平８−１１９５３４号公報）では、搬送する記録媒体のサイズを検知するサイズ種検知装置の発明がなされている。図１３に示すように、このサイズ種検知装置１１０は、記録媒体の各サイズ（Ｓ１〜Ｓ３）に対応した接触子１１１ａ〜１１１ｃと、遮光プレート１１２と、フォトインタラプタ１１３等が設けられる。接触子１１１ａ〜１１１ｃと、遮光プレート１１２とは共通の回転軸１１４を有する。記録媒体が搬送ローラ対１１５によって下流側（図の点線矢印方向）に搬送されると、搬送される記録媒体のサイズに応じて、異なる接触子１１１ａ〜１１１ｃが記録媒体に押されて回転する。この接触子の回転により、共通の回転軸１１４を有する遮光プレート１１２が回転する。そして、いずれの接触子１１１ａ〜１１１ｃが記録媒体に押されるかによって、遮光プレート１１２の回転量が異なることにより、フォトインタラプタ１１３の信号状態が変化する。サイズ種検知装置１１０は、この信号状態の違いにより、通過した記録媒体のサイズ種を検出することができる。
【発明の概要】
【発明が解決しようとする課題】
【０００４】
特許文献１では、記録媒体の搬送力を駆動源として遮光プレートを回転させて記録媒体のサイズを検出する構成のため、サイズ検出の機会が記録媒体の搬送時に限られていた。このため、記録媒体の搬送時の制御負荷が増大したり、自由なタイミングで記録媒体のサイズを検出できないという課題があった。
【０００５】
このような課題から、本発明では、任意のタイミングでシートの幅を検出することのできるシート幅検出装置を提供することを目的としている。
【課題を解決するための手段】
【０００６】
上記の課題を解決するため、本発明は、積載部に積載されたシートに接触させる接触子を複数有し、回転可能に設けられた回転部材と、前記回転部材を回転させる駆動源と、  前記回転部材の回転位相の変化に応じて検知状態の変化する検知機構とを有し、前記積載部に積載されたシートの幅を検出するシート幅検出装置であって、前記回転部材は、前記積載部に積載された前記シートの幅の大小に応じてシートとの接触状態が変化して、当該接触状態の変化によって回転部材の回転位相が変化し、前記駆動源からの駆動力の供給に伴う前記回転部材の回転により、前記検知機構の検知状態が変化し、当該検知状態の変化から前記シートの幅を検出することを特徴とする。
【発明の効果】
【０００７】
本発明では、回転部材を回転させる駆動源を設け、回転部材の回転に伴う検知機構の検知状態の変化により、シート幅を検出させる。従って、駆動源によって回転部材を任意のタイミングで回転させることができ、シートの幅の検出を任意のタイミングで行うことができる。
【図面の簡単な説明】
【０００８】
【図１】画像形成装置の概略構成図である。
【図２】本発明の実施形態に係る給紙部を示す図で、（ａ）図が斜視図、（ｂ）図が正面図、（ｃ）図が側面図を示す図である。
【図３】センサフィラーを示す斜視図である。
【図４】小サイズの用紙束を積載した状態の給紙部を示す図で、（ａ）図が斜視図、（ｂ）図が正面図、（ｃ）図が側面図を示す図である。
【図５】接触子の接触状態を示す図である。
【図６】小サイズの用紙束を積載した状態の給紙部を示す図で、（ａ）図が斜視図、（ｂ）図が側面図を示す図である。
【図７】中サイズの用紙束を積載した状態の給紙部を示す図で、（ａ）図が斜視図、（ｂ）図が側面図を示す図である。
【図８】大サイズの用紙束を積載した状態の給紙部を示す図で、（ａ）図が斜視図、（ｂ）図が側面図を示す図である。
【図９】用紙束を積載していない状態の給紙部を示す斜視図である。
【図１０】検知センサの出力信号を示す図で、（ａ）図は用紙がセットされていない場合、（ｂ）図は小サイズ、（ｃ）図は中サイズ、（ｄ）図は大サイズの用紙の場合を示す図である。
【図１１】用紙束が位置ズレして積載された場合の検知センサの出力信号を示す図である。
【図１２】異なる実施形態のセンサフィラーの駆動源を示す図である。
【図１３】従来の画像形成装置の概略構成図である。
【発明を実施するための形態】
【０００９】
以下、本発明に係る実施の形態について、図面を参照して説明する。なお、各図中、同一又は相当する部分には同一の符号を付しており、その重複説明は適宜に簡略化ないし省略する。
【００１０】
図１に、本発明の画像形成装置の一例として、複数の像担持体２が並行に配設されたタンデム型のカラーレーザープリンタ１００の一例を示す。プリンタの内部には、シアン（Ｃ）、マゼンタ（Ｍ）、イエロー（Ｙ）、ブラック（Ｋ）の各色の画像を形成するための画像形成部（作像装置）として、４つのプロセスユニット１Ｃ、１Ｍ、１Ｙ、１Ｋが配設されている。４つのプロセスユニット１（Ｃ、Ｍ、Ｙ、Ｋ）は、トナーの色が異なる点以外はいずれもほぼ同じ構成である。
【００１１】
各プロセスユニット１はそれぞれドラム状の像担持体２を備え、４個の像担持体２は、画像形成部内の図中左右方向に等間隔で離間させて並列に配設されている。各像担持体２はプリンタの動作時に駆動源から駆動が伝達されることにより、時計回り方向に回転する。
【００１２】
各像担持体２には、プロセスユニット１内部にてレーザ光を用いた作像プロセスによりトナー像（現像剤像）が形成される。
【００１３】
像担持体２の下部には転写装置３が配設されている。この転写装置３は、無端状の中間転写ベルト１１を有し、中間転写ベルト１１の一端が従動ローラ１２に巻き掛けられ、他端は駆動ローラ１３に巻き掛けられている。
【００１４】
駆動源によって駆動されることにより、駆動ローラ１３が回転して中間転写ベルト１１が矢印方向に周回走行し、各像担持体２の表面が、中間転写ベルト１１の上面に接触するようになっている。
【００１５】
中間転写ベルト１１の内周部には各像担持体２に対向させて４つの一次転写ローラ１４（Ｙ、Ｃ、Ｍ、Ｋ）が設けられている。
【００１６】
中間転写ベルト１１の右端部付近の外周部には、ベルトクリーニング装置１５が設けられ。このベルトクリーニング装置１５は中間転写ベルト１１の表面に残留する不要なトナーや、紙粉などの異物を拭い去るためのものである。
【００１７】
中間転写ベルト１１の外周で、駆動ローラ１３と中間転写ベルト１１を挟んで対向する位置に、二次転写ローラ１６が設けてある。二次転写ローラ１６は駆動ローラ１３と対向する位置で中間転写ベルト１１に当接し、二次転写ニップを形成している。
【００１８】
画像形成装置１００の下方には、給紙装置としての給紙部４が設けられる。給紙部４には、用紙（シート）Ｐの束を積載するトレイ３０や用紙Ｐを搬送路５へ搬送する給紙ローラ３１等が設けられる。給紙ローラ３１はトレイ４６上に載置された用紙束の最上部の用紙Ｐに当接した状態で回転駆動し、この最上部の用紙Ｐを下流側へ搬送することができる。
【００１９】
給紙ローラ３１の用紙搬送方向下流には、用紙Ｐの先端を検知可能なレジストセンサ１７、さらに下流には用紙Ｐを所定のタイミングで搬送するレジストローラ対１８が配設されている。
【００２０】
二次転写ローラ１６と駆動ローラ１３のニップ部の上方には、定着装置６が設けてある。定着装置６は、ハロゲンランプ等の発熱源を内包する定着ローラ１９と、この定着ローラ１９に対して所定の圧力で当接しながら回転する加圧ローラ２０を備えている。なお、定着装置としては無端状の回転ベルトを採用したものやＩＨ加熱方式など他の構成も可能である。
【００２１】
また、画像形成装置１００の上部には、オペレーションパネル６０を備える。オペレーションパネル６０には、表示部としてのモニター６１が設けられる。オペレーションパネル６０は、制御部としてのコントローラ６２に接続される。コントローラ６２は、給紙部４に設けられた検知センサ５１（詳しくは後述）に接続される。
【００２２】
次に、この画像形成装置の基本動作について説明する。
まず、画像形成動作が開始されると、各像担持体２に作像された可視像が、プラスに帯電された一次転写ローラ１４による転写作用を受けて周回走行する中間転写ベルト１１の表面に対して一次転写される。このような潜像形成、現像、一次転写の各動作は、すべてのプロセスユニット１（Ｃ、Ｍ、Ｙ、Ｋ）で画像データと対応してタイミングをとって順次行われ、中間転写ベルト１１の表面上に、シアンＣ、マゼンタＭ、イエローＹ、及びブラックＫの各色トナー画像が順次重なり合った４色トナー画像Iが形成され、この４色トナー画像が矢印の方向に表面移動する中間転写ベルト１１と共に搬送され、二次転写ニップに送られる。
【００２３】
一方、給紙部４では、画像形成動作が開始されると、画像形成装置１００の制御部からの搬送信号によって給紙ローラ３１が回転する。これにより、トレイ３０上に積載された用紙Ｐの最上部の用紙Ｐが用紙束から分離されて搬送路５へ送り出される。
【００２４】
そして、レジストセンサ１７が用紙Ｐの先端の通過を検知すると、そのタイミングをトリガとしてレジストローラ対１８のニップ部で所定の弛みを形成させるまで用紙Ｐを搬送させ、用紙Ｐの先端スキューを補正する。
【００２５】
このレジストローラ対１８は、中間転写ベルト１１の直近上流側に位置し、中間転写ベルト１１上のトナー像と、用紙先端位置とを精度良く合わせるために、用紙を一旦停止させて当該用紙Ｐを一時的に弛ませる。そして中間転写ベルト１１上に形成されたトナー像が、二次転写ニップ部に到達するタイミングに合わせて、用紙Ｐを二次転写ニップに送り出す。
【００２６】
二次転写ニップでは、中間転写ベルト１１と二次転写ローラ１６の間に用紙Ｐを通過させながら、バイアスを印加することで中間転写ベルト１１が担持するトナー画像が用紙Ｐに静電的に転写される。
【００２７】
中間転写ベルト１１の表面の残留トナーや異物は次の作像・転写工程のためにベルトクリーニング装置１５によって除去される。
【００２８】
トナー画像を転写された用紙Ｐは定着装置６へと搬送される。用紙Ｐは、定着ローラ１９と加圧ローラ２０によって形成される定着ニップに送り込まれ、その未定着トナー像が加熱・加圧されて用紙Ｐに定着される。
【００２９】
定着動作を終了した用紙Ｐは、さらに下流側へ搬送され、画像形成装置１００の外側に設けられた排紙部へと搬送される。
【００３０】
なお、レジストローラ対１８と給紙ローラ３１の駆動開始は必ずしも同時である必要はない。また、レジストローラ対１８、給紙ローラ３１の他に用紙Ｐを搬送する搬送ローラがあってもよい。
【００３１】
以上の説明は、用紙Ｐ上にフルカラー画像を形成するときの画像形成動作であるが、４つのプロセスユニット９Ｙ，９Ｃ，９Ｍ，９Ｂｋのいずれか１つを使用して単色画像を形成したり、２つ又は３つのプロセスユニット９を使用して、２色又は３色の画像を形成したりすることも可能である。
【００３２】
次に、給紙部４のより詳細な構成について、図２（ａ）〜（ｃ）を用いて説明する。なお、（ａ）図は給紙部４の斜視図、（ｂ）図は正面図、（ｃ）図は側面図である。
【００３３】
図２（ａ）に示すように、給紙部４は、積載部としてのトレイ３０と、搬送部材としての給紙ローラ３１と、ローラ軸３２と、給紙クラッチ３３と、シート幅検出装置としての用紙幅検出装置５０等を主に備えている。なお、以下の説明では、図２（ａ）の両矢印Ｂ方向を用紙の幅方向、あるいは、単に幅方向と呼び、両矢印Ｃ方向を用紙搬送方向、あるいは単に搬送方向と呼ぶ。
【００３４】
トレイ３０は、給紙ローラ３１と反対側に設けられる支軸を中心に回転可能に設けられる。この回転により、給紙ローラ３１の側が揺動し、トレイ３０に積載された用紙束の最上部の用紙を給紙ローラ３１に対して接離させることができる。
【００３５】
給紙ローラ３１は、ローラ軸３２を中心に回転可能に設けられる。この回転により、給紙ローラ３１の下方に当接する用紙束から、その最上部の用紙を分離し、下流側へ搬送することができる。
【００３６】
給紙クラッチ３３は、ローラ軸３２に接続される。図２（ｃ）に示すように、駆動源としての駆動モータ３４は、複数の中継ギア３５を介して、給紙クラッチ３３に接続されている。給紙クラッチ３３は、駆動モータ３４から給紙ローラ３１への駆動力の伝達および遮断を切り換えることができる。
【００３７】
用紙幅検出装置５０は、検知機構としての検知センサ５１と、回転部材としてのセンサフィラー５２と、ワンウェイクラッチ５３等を備える。
【００３８】
センサフィラー５２は、回転軸５２ａを中心に回転可能に設けられており、駆動モータ３４の駆動力によって矢印Ａ１の方向へ回転可能に設けられる。以下、この矢印Ａ１の方向（図２ｃの方向視において、時計回りの回転方向）を時計回りの方向と呼び、それとは反対の方向を反時計回りの方向と呼ぶ。センサフィラー５２は、付勢機構により、反時計回りの方向へ付勢されることで、図２の位置に配置されている（以下、このセンサフィラー５２の回転位相を初期位相と呼ぶ）。
【００３９】
図２（ａ）に示すように、ワンウェイクラッチ５３にはセンサフィラー５２の回転軸５２ａが挿入されている。ワンウェイクラッチ５３は、時計回り方向には固定され、反時計回り方向にフリーの状態となっており、駆動モータ３４からの反時計回り方向の回転力のみを回転軸５２ａに伝達する。
【００４０】
本実施形態では、給紙ローラ３１とセンサフィラー５２とが共通の駆動モータ３４によって駆動される。つまり、図２（ｃ）に示すように、駆動モータ３４の駆動力は、複数の中継ギア３５、および給紙クラッチ３３を介して給紙ローラ３１に伝達されると共に、伝達ギアとしてのアイドラギア３６、および、ワンウェイクラッチ５３を介してセンサフィラー５２に伝達される。なお、図２（ａ）、（ｂ）および以下の図では、便宜上、これらの駆動モータ３４や中継ギア３５、および、アイドラギア３６の記載を省略している。
【００４１】
図３に示すように、センサフィラー５２は、回転軸５２ａと、複数の接触子５２ｂ、５２ｃ、５２ｄ、および、遮光部５２ｅ、５２ｆ、５２ｇ等を有する。
【００４２】
各接触子５２ｂ、５２ｃ、５２ｄは、回転軸５２ａからその径方向に延在する線状部である。各接触子５２ｂ、５２ｃ、５２ｄは、回転軸５２ａを中心にした位相において、異なる位相の方向へ延在する。各接触子５２ｂ、５２ｃ、５２ｄは、その先端部で、用紙束に接触する側（図３の時計回り方向下流側）の端部の形状がＲ形状をなしている。これにより、用紙束との接触時の負荷を軽減することができる。
【００４３】
センサフィラー５２の軸方向一方側には、回転軸５２ａを中心に、その径方向に広がる扇形の基部５２ｈと、この基部５２ｈから枝分かれして延在する３つの遮光部５２ｅ、５２ｆ、５２ｇとが設けられる。遮光部５２ｅと遮光部５２ｆとの間に隙間５２ｊが、遮光部５２ｆと遮光部５２ｇとの間に隙間５２ｋがそれぞれ設けられる。基部５２ｈの背面側には、軸方向他方側から基部５２ｈを支持する、略三角形状の支持部が設けられている。
【００４４】
各遮光部５２ｅ、５２ｆ、５２ｇは、基部５２ｈから枝分かれして延在する第一部分と、この第一部分から垂直方向（センサフィラー５２の軸方向）に延在する第二部分とからなる略Ｌ字状をなしている。各遮光部５２ｅ、５２ｆ、５２ｇは、回転軸５２ａを中心にした位相において、異なる位相の方向へ延在する。遮光部５２ｇは、その幅が他の遮光部５２ｅ、５２ｆよりも大きく設けられている。
【００４５】
検知センサ５１（図２ａ参照）は、発光部と受光部をその内部に有し、受光部の受光の有無により異なる検知信号を出力する透過型の光学センサである。上記の遮光部５２ｅ、５２ｆ、５２ｇが検知センサ５１に重なる位置まで移動すると、各遮光部の上記第二部分が検知センサ５１の発光部と受光部との間に配置される。これにより、第二部分が発光部から受光部への光線を遮り、検知センサ５１の出力信号をオンからオフに切り換えることができる。
【００４６】
図２（ｂ）に示すように、センサフィラー５２の軸方向他方側で、給紙部４の幅方向中央側から順に、接触子５２ｂ、５２ｃ、５２ｄが設けられる。
【００４７】
次に、上記の給紙部４において、給紙部４にセットされた用紙Ｐの幅を検出する方法について説明する。本実施形態では、小、中、大の３つのサイズの用紙が給紙部４にセットされる構成とする。小、中、大のそれぞれのサイズの用紙の具体例としては、例えば、Ａ６サイズ、Ａ５サイズ、Ａ４サイズの用紙が挙げられる。ただし、これに限るものではなく、適宜、必要な用紙をセットしてその用紙幅を検出する構成とすることができる。
【００４８】
図４（ａ）〜（ｃ）は、小サイズの用紙Ｐ１の束である用紙束Ｐ１Ａがトレイ３０に積載された状態を示す図である。図４（ａ）に示すように、用紙束Ｐ１Ａは、各用紙の先端で、用紙束Ｐ１Ａの幅方向中央部が給紙ローラ３１に対向するように、トレイ３０に積載される。図４（ｃ）に示すように、用紙束を積載時には、センサフィラー５２は初期位相に配置され、各接触子５２ｂ、５２ｃ、５２ｄが用紙束Ｐ１Ａから退避して、用紙束Ｐ１Ａに対して非接触の状態になっている。
【００４９】
図４（ｂ）に、幅方向における各用紙と各接触子５２ｂ、５２ｃ、５２ｄとの関係を示す。
図４（ｂ）に示すように、幅方向において、センサフィラー５２の各接触子のうち、給紙部４の最も中央側に配置される接触子５２ｂのみが用紙束Ｐ１Ａの範囲Ｈ１内に設けられ、接触子５２ｃ、５２ｄは用紙束Ｐ１Ａよりも幅方向の外側に配置される。また、図４（ｂ）に点線部で示す用紙束Ｐ２Ａ、Ｐ３Ａは、それぞれ、用紙束Ｐ１Ａよりも大きなサイズの用紙である、中サイズの用紙束Ｐ２Ａと、大サイズの用紙束Ｐ３Ａを示している。幅方向において、センサフィラー５２の各接触子のうち、接触子５２ｂ、５２ｃが用紙束Ｐ２Ａの範囲Ｈ２内に、全ての接触子５２ｂ、５２ｃ、５２ｄが用紙束Ｐ３Ａの範囲Ｈ３内にそれぞれ設けられる。
【００５０】
給紙部４にトレイ３０が装着されたことを検知すると、給紙部４は、トレイ３０に積載された用紙Ｐのサイズを検知する検知動作を行う。具体的には、まず、給紙クラッチ３３をオフにした状態（給紙ローラ３１への駆動力の伝達を遮断した状態）で駆動モータ３４（図２ｃ参照）を駆動させる。これにより、センサフィラー５２が、付勢機構からの付勢力に抗して時計回りに回転する。
【００５１】
図５に示すように、センサフィラー５２は時計回りの方向へ回転し、接触子が用紙束の前面Ｚに当接する位置でその回転を停止する。この際、用紙束ＰＡのサイズによって、用紙Ｐの幅の範囲内に設けられる接触子５２ｂ、５２ｃ、５２ｄの種類が上記のように異なる（接触子との接触状態が異なる）ため、セットされた用紙束ＰＡによって、センサフィラー５２の回転の停止位置が変化する。
【００５２】
具体的には、小サイズの用紙束Ｐ１Ａがセットされた場合、接触子５２ｂのみが用紙束Ｐ１Ａの範囲内に設けられ、接触子５２ｃ、５２ｄは用紙束Ｐ１Ａの範囲外に設けられる。従って、センサフィラー５２が時計回りに回転すると、まず、接触子５２ｄ、次に接触子５２ｃが前面Ｚに対向する位置まで移動するが、これらの接触子は用紙束Ｐ１Ａに接触せず、センサフィラー５２は回転し続ける。そして、接触子５２ｂが前面Ｚに当接することで、センサフィラー５２の回転が停止する。すなわち、センサフィラー５２は、角度α１だけ回転した位置で停止する。
【００５３】
そして、中サイズの用紙束Ｐ２Ａがセットされた場合、接触子５２ｂ、５２ｃが用紙束Ｐ２Ａの幅の範囲内に設けられる。このため、接触子５２ｃが前面Ｚに当接する位置でセンサフィラー５２の回転が停止し、センサフィラー５２は角度α２だけ回転することになる。同様に、大サイズの用紙束Ｐ３Ａをセットした場合、接触子５２ｄが前面Ｚに当接する位置でセンサフィラー５２が回転を停止し、センサフィラー５２は角度α３だけ回転することになる。なお、用紙束がセットされていない場合には、センサフィラー５２は、角度α１よりも大きな所定の角度だけ回転した位置（図９参照）で停止する。以上のように、トレイ３０に積載される用紙のサイズに応じて、初期位相からのセンサフィラー５２の回転量が変化する。すなわち、回転後のセンサフィラー５２の位相が変化することになる。
【００５４】
図６（ａ）、（ｂ）、図７（ａ）、（ｂ）、図８（ａ）、（ｂ）に、各サイズ（小サイズ、中サイズ、大サイズ）の用紙束がセットされ、センサフィラー５２が各接触子に当接する位置まで回転した後の状態を示す。なお、（ａ）図は給紙部４の斜視図、（ｂ）図は側面図である。
【００５５】
図６（ｂ）、図７（ｂ）、図８（ｂ）に示すように、給紙部４にセットされる用紙束のサイズに応じてセンサフィラー５２の回転位相が変化することがわかる。具体的には、用紙束Ｐ１Ａの場合には接触子５２ｂが用紙束Ｐ１Ａに（図６ｂ）、用紙束Ｐ２Ａの場合には接触子５２ｃが用紙束Ｐ２Ａに（図７ｂ）、用紙束Ｐ３Ａの場合には接触子５２ｄが用紙束Ｐ３Ａに（図８ｂ）それぞれ当接し、センサフィラー５２の回転位相がそれぞれ異なる。また、図９に示すように、給紙部４に用紙束がセットされていない状態では、センサフィラー５２は、用紙束Ｐ１Ａがセットされた状態よりも、さらに時計回りの方向まで回転する。
【００５６】
これらのセンサフィラー５２の回転位相は、各用紙がセットされた場合（あるいは、セットされていない場合）において、センサフィラー５２が検知動作を終了する回転位相であり、以下、これらの位相を検知終了位相と呼ぶ。つまり、本実施形態の用紙幅検知動作では、センサフィラー５２が図２（ｃ）の初期位相から各検知終了位相（図６ｂ、図７ｂ、図８ｂ、図９のそれぞれの位相）まで回転する。そして、この回転時の検知センサ５１の出力信号の変化パターンの違いにより、用紙幅の検出を行う。上記の４つの場合では、検知を開始する位相は同じであるが、検知終了位相がそれぞれ異なる。この検知終了位相の違いにより、検知センサ５１の出力信号のパターンが異なるため、用紙幅を判別することができる。以下、具体的な検知センサ５１の検知信号のパターンについて説明する。
【００５７】
図１０（ａ）〜（ｄ）は、各状態における検知センサ５１の出力信号の変化を示すもので、（ａ）図は用紙がセットされていない場合、（ｂ）、（ｃ）、（ｄ）図は、それぞれ、小サイズの用紙束Ｐ１Ａ、中サイズの用紙束Ｐ２Ａ、大サイズの用紙束Ｐ３Ａがセットされた場合を示す。なお、各図の左端で、センサフィラー５２が初期位相にあり、右側へ向かうに従って、センサフィラー５２が時計回りに回転し、検知終了位相に近づく。
【００５８】
検知センサ５１は、センサフィラー５２の各遮光部５２ｅ、５２ｆ、５２ｇと重なった状態ではその信号がオフになり、各遮光部と重ならない位置ではその信号がオンになる。従って、センサフィラー５２の回転により、検知センサ５１のオンオフが切り換えられることになる（検知センサ５１の検知状態が変化することになる）。例えば、図２（ｃ）に示す初期位相では、検知センサ５１はいずれの遮光部にも遮蔽されていないため、その出力信号はオンになる。従って、図１０（ａ）〜（ｄ）に示すように、初期状態では、いずれの場合も信号がオンになる。
【００５９】
まず、用紙束がセットされていない状態での出力信号について説明する。用紙幅の検出動作が開始されると、センサフィラー５２が、図２（ｃ）の初期位相の状態から時計回りの方向へ回転して、図９の検知終了位相まで回転する。図２（ｃ）および図１０（ａ）に示すように、初期位相では、検知センサ５１がいずれの遮光部とも重ならないため、その信号はオンになる。そして、センサフィラー５２が回転し、各遮光部５２ｇ、５２ｆ、５２ｅと検知センサ５１が重なるタイミングでセンサ信号がオフになり、それらの間の区間、つまり、隙間５２ｋ、５２ｊと検知センサ５１が重なるタイミングでセンサ信号がオンになる。また最後に、遮光部５２ｅが検知センサ５１を通過すると、センサ信号はオンになる。従って、用紙がセットされていない状態では、検知動作により、検知センサ５１の出力信号が４回オン、３回オフになり、最後の信号はオンになる。
【００６０】
次に、用紙束Ｐ１Ａがセットされた場合について説明する。図６（ｂ）に示すように、用紙束Ｐ１Ａがセットされた場合には、遮光部５２ｅと検知センサ５１が重なった位置が検知終了位相である。すなわち、上記の用紙がセットされていない場合と比較すると、初期位相から遮光部５２ｅと検知センサ５１が重なる位相までは同じ動作であるが、最後に遮光部５２ｅが検知センサ５１を通過しない点が異なる。従って、図１０（ｂ）に示すように、検知センサ５１の出力信号が３回オン、３回オフになり、最後の信号はオフになる。すなわち、最後のオン信号が出力されない点が図１０（ａ）の場合と異なる。
【００６１】
また、用紙束Ｐ２Ａがセットされた場合には、図７（ｂ）に示すように、遮光部５２ｆと検知センサ５１が重なった位置が検知終了位相である。従って、図２（ｃ）および図１０（ｃ）に示すように、初期位相では信号はオンになる。そして、センサフィラー５２が回転し、各遮光部５２ｇ、５２ｆと検知センサ５１が重なるタイミングでセンサ信号がオフ、検知センサ５１と隙間５２ｋが重なるタイミングでセンサ信号はオンになる。従って、図１０（ｃ）に示すように、検知センサ５１の出力信号が２回オン、２回オフになり、最後の信号はオフになる。
【００６２】
さらに、用紙束Ｐ３Ａがセットされた場合には、図８（ｂ）に示すように、遮光部５２ｇと検知センサ５１が重なった位置が検知終了位相である。従って、図２（ｃ）および図１０（ｄ）に示すように、初期位相で信号がオン、遮光部５２ｇと検知センサ５１が重なるタイミングでセンサ信号はオフになる。すなわち、図１０（ｄ）に示すように、検知センサ５１の出力信号が１回オン、１回オフになり、最後の信号はオフになる。
【００６３】
以上のように、本実施形態では、給紙部４に用紙がセットされていない場合、および、各サイズの用紙がセットされた場合のそれぞれについて、検知センサ５１の出力信号のパターンがそれぞれ異なる。本実施形態では、コントローラ６２（図１参照）がこの信号のパターンの違いを認識することにより、トレイ３０への用紙束の積載の有無、および、積載された用紙のサイズを検出することができる。
【００６４】
なお、本実施形態では一例として、遮光部５２ｇ（図３参照）の幅をその他の遮光部５２ｅ、５２ｆよりも大きく設けた。このため、図１０の各信号パターンにおいて、遮光部５２ｇと検知センサ５１が重なる最初のオフ信号はその他のオフ信号よりもその長さが長くなっている。このように、それぞれの遮光部の長さを変更することにより、いずれの遮光部が検知センサ５１と重なったことによるオフ信号であるかを、後の出力信号から判別することができる。このため、上記実施形態の構成に限らず、例えば、全ての遮光部の長さを異なるようにすることもできる。
【００６５】
また、本実施形態では、駆動モータを駆動することにより、センサフィラー５２を初期位相から検知終了位相まで回転させることができ、任意のタイミングで用紙幅の検出が可能である。なお、検知動作終了後、駆動モータから駆動力が伝達されなくなったセンサフィラー５２は、付勢機構の付勢力によって反時計回りに回転し、再び初期位相の位置で停止する。
【００６６】
図１１（ａ）〜（ｃ）は、図１０（ａ）〜（ｄ）とは異なるパターンの検知センサ５１の出力信号を示している。図１１（ａ）〜（ｃ）に示す状態では、いずれも検知終了位相の出力信号がオンになっており、かつ、図１０（ａ）の用紙束がセットされていない状態とは異なるパターンを示している。
【００６７】
このような場合には、センサフィラー５２の回転動作の異常を除いて、トレイ３０に積載された用紙束の位置ズレが生じている。つまり、用紙束の位置ズレにより、接触子と用紙束との接触位置にズレが生じた結果、センサフィラー５２の検知終了位相が変化し、図１０（ａ）〜（ｄ）のいずれの通常のパターンの信号とも異なるパターンの信号が検知センサ５１から出力されている。従って、このような出力信号の違いをコントローラが認識することにより、異常状態と判断し、用紙束のトレイ３０に対する積載位置のズレを検出することができる。
【００６８】
このような用紙束の位置ズレを生じた場合、用紙束の最上位の用紙先端が位置ズレした状態で、給紙ローラ３１（図２ａ参照）によって分離搬送されようとした結果、給紙ローラ３１から画像形成装置への給紙が行われずにジャムを起こしてしまうことがある。そこで、コントローラ６２（図１参照）が上記の異常状態を検出することにより、外部に異常状態を報知することで、ジャムの発生を防止することができる。具体的には、モニター６１に用紙のセット状態が正しくないことを表示することにより、用紙束の再セットを促してトレイ３０における用紙束の位置を修正し、ジャムの発生を防止することができる。
【００６９】
本実施形態の構成では、トレイ３０が給紙部４に装着されたことを検知する装着検知機構を設けた。これにより、トレイ３０が給紙部４に装着されたタイミングで用紙幅の検知が行えるようになり、印刷動作（画像形成動作）開始前の予備時間等に用紙サイズの検出が可能になる。
【００７０】
また、上記構成とは異なり、トレイ３０が給紙部４に装着されたことを検知する装着検知機構を設けない構成であってもよい。この場合、例えば、画像形成装置が印刷動作を開始する際に、用紙幅を検出する設定とすることができる。これにより、印刷動作を行う際には必ず用紙幅の検出を行うことができる。
【００７１】
そして、このような構成の場合、トレイ３０が給紙部４に装着されたか否かを、装置に直接判別させることはできない。しかし、用紙幅の検出動作により、図１０（ａ）の用紙がセットされていない状態の出力信号を検出することにより、用紙がトレイ３０に積載されていない状態か、あるいは、トレイ３０がセットされていない状態のいずれかの状態であることを検出することができる。従って、トレイ３０が給紙部４に装着されたことを検知する装着検知機構を画像形成装置に設けることなく、トレイの装着の有無を検出する機能を持たせることができる。
【００７２】
上記の検知センサ５１の各オンオフの出力信号の長さは、センサフィラー５２の回転速度に依存してその大小が変化する。すなわち、センサフィラー５２の回転速度を遅くすることにより、オンオフの出力信号の長さがそれぞれ長くなって各信号の判別がしやすくなり、用紙サイズの検出精度を向上させることができる。このようなセンサフィラー５２の回転速度としては、例えば、給紙ローラ３１（図２ａ参照）よりも遅い速度で回転させることが好ましい。
【００７３】
また、これとは逆に、センサフィラー５２の回転速度を速くすることにより、用紙サイズの検出にかかる時間を短縮することができる。このようなセンサフィラー５２の回転速度としては、例えば、給紙ローラ３１（図２ａ参照）よりも速い速度で回転させることが好ましい。
【００７４】
本実施形態では、図２（ｃ）に示すように、駆動モータ３４の駆動力が、中継ギア３５、給紙クラッチ３３、およびアイドラギア３６を介して伝達される。センサフィラー５２の回転速度を調整する方法、特に上記のように、給紙ローラ３１に対して早くしたり遅くしたりする場合には、アイドラギア３６の歯数を変更することにより調整可能である。
【００７５】
上記の実施形態では、センサフィラー５２の駆動機構として、給紙ローラ３１と共通の駆動モータ３４を用いた。しかし、これに限らず、専用の駆動モータをセンサフィラー５２に設けてもよい。例えば図１２に示すように、給紙ローラ３１の駆動モータ３４とは別に、センサフィラー５２の駆動モータ３４を設け、この駆動モータ３４が、アイドラギア３６を介して、その駆動力をセンサフィラー５２の回転軸に伝達する構成であってもよい。このように、センサフィラー５２に専用の駆動源を設けることにより、給紙ローラ３１とは独立して動作させることができる。従って、例えば、印刷動作中でも用紙サイズの検出動作を行うことができる。
【００７６】
以上の説明では、検知センサ５１による検知動作は、駆動モータの駆動によりセンサフィラー５２が初期位相から検知終了位相まで回転する間に行うものとした。しかし、これとは逆に、付勢機構の付勢力によって初期位相まで戻る間に検知動作を行うこともできる。ただし、モータの駆動力による回転の方が、センサフィラー５２の回転速度を制御しやすいため、好ましい。また、センサフィラー５２の時計回り、および、反時計回り方向の回転の両方を駆動モータによる駆動回転としてもよい。
【００７７】
以上、本発明の実施形態について説明したが、本発明は上述の実施形態に限定されるものではなく、本発明の要旨を逸脱しない範囲で種々の変更を加え得ることは勿論である。
【００７８】
本発明に係る画像形成装置は、図１に示すカラー画像形成装置に限らず、モノクロ画像形成装置や、複写機、プリンタ、ファクシミリ、あるいはこれらの複合機等であってもよい。
【００７９】
以上の説明における「画像形成」とは、文字や図形等の意味を持つ画像をシートに対して付与することだけでなく、パターン等の意味を持たない画像をシートに付与することをも意味する。
【００８０】
以上の実施形態では、画像形成装置内に設けられ、画像を形成するシート（用紙）の幅を検出するシート幅検出装置について説明した。しかし、本発明はこれに限らない。例えば、シート状の搬送物を搬送する搬送装置内において、そのシートの幅を検出する装置であってもよいし、その他、シートを使用する様々な装置に適用可能である。
【００８１】
シートとしては、用紙Ｐ（普通紙）の他、厚紙、はがき、封筒、薄紙、塗工紙（コート紙やアート紙等）、トレーシングペーパ、ＯＨＰシート、金属シート、プラスチックフィルム、プリプレグ、布や、その他、糸、繊維、皮革、ガラス、木材、セラミックス等が含まれる。
【００８２】
給紙ローラ３１は用紙Ｐを前側に搬送する機能があればよく、必ずしもローラの形態である必要はない。搬送部材として、給紙ローラ３１に代えて、例えば２つのローラ間に掛け渡した無端状の回転ベルトを使用してもよい。
【符号の説明】
【００８３】
４        給紙部（シート給送装置）
６        定着装置
３０      トレイ（積載部）
３１      給紙ローラ（搬送部材）
３４      駆動モータ（駆動源）
３５      中継モータ
３６      アイドラギア（伝達ギア）
５０      用紙幅検出装置（シート幅検出装置）
５１      検知センサ（検知機構）
５２      センサフィラー（回転部材）
５２ａ    回転軸
５２ｂ、５２ｃ、５２ｄ  接触子
５２ｅ、５２ｆ、５２ｇ  遮光部
１００    画像形成装置
Ｐ        用紙（シート）
【先行技術文献】
【特許文献】
【００８４】
【特許文献１】特開平８−１１９５３４号公報
【図１】
2019048709.tif 000003
【図２】
2019048709.tif 000004
【図３】
2019048709.tif 000005
【図４】
2019048709.tif 000006
【図５】
2019048709.tif 000007
【図６】
2019048709.tif 000008
【図７】
2019048709.tif 000009
【図８】
2019048709.tif 000010
【図９】
2019048709.tif 000011
【図１０】
2019048709.tif 000012
【図１１】
2019048709.tif 000013
【図１２】
2019048709.tif 000014
【図１３】
2019048709.tif 000015